(57)【要約】【課題】簡便に写真の見栄えを良くすることができるシール、及びこのシールを用いた好みに応じて写真を交換できる写真ホルダを提供すること。【解決手段】本発明は、シート部材の略中央部に所定形状の窓を備えたことを特徴とする。このようにすれば、所望の部分のみが上記窓によって抽出されることになるので、簡便に写真の見栄えを良くすることができる。また、上記シート部材の表面に装飾を施すようにすることもできる。このようにすれば、写真をその当時の状況を表した絵やコメントで囲むことになるので、さらに写真の見栄えを良くすることができる。さらに、上記シート部材の表面は透明フィルムで覆うようにすれば、上記窓のサイズより小さい物（コインや花の種など）を整理・保存することも可能となる。また、表面に装飾を施した台紙に上記シート部材で写真を貼り付けることで、写真を簡単に交換できる写真ホルダを構成することができる。【選択図】  図１
2005004147.tif 000002
【特許請求の範囲】
【請求項１】
背面基材と、この背面基材と剥離可能な粘着剤を裏面に塗布したシート部材とからなるシールにおいて、
上記シート部材の略中央部に所定形状の窓を備えたことを特徴とするシール。
【請求項２】
上記シート部材の表面に装飾を施した請求項１に記載のシール。
【請求項３】
上記シート部材の表面を透明フィルムで覆った請求項１に記載のシール。
【請求項４】
請求項１に記載のシールから背面基材を剥離したシート部材と、
表面に装飾を施した台紙とを備え、
上記台紙の所定位置に写真を上記シート部材により貼り替え自在に貼り付けることを特徴とする写真ホルダ。
【請求項５】
上記装飾がカレンダである請求項４に記載の写真ホルダ。
【請求項６】
背面基材と、この背面基材と剥離可能な粘着剤を裏面に塗布したシート部材とからなるシールの製造方法において、
上記シート部材の略中央部に所定形状の窓をハーフカットする加工ステップと、
上記窓を熱可塑性フィルムで覆うフィルム張りステップと、
上記窓と略一致する形状の熱版によって上記熱可塑性フィルムをプレスすることで、この熱可塑性フィルムと上記窓部分のシート部材とを熱圧着させるプレスステップと、
上記熱可塑性フィルムを上記窓部分のシート部材とともに引き剥がす粕取りステップと、を備えたことを特徴とするシールの製造方法。
【請求項７】
上記加工ステップの前に、上記シート部材の表面に装飾を施す印刷ステップを備えた請求項４に記載のシールの製造方法。
【請求項８】
上記粕取りステップの後に、上記シート部材の表面を透明フィルムで覆うフィルム張りステップを備えた請求項４に記載のシールの製造方法。
【発明の詳細な説明】
【０００１】
【発明の属する技術分野】
本発明は、シール及び写真ホルダに関し、特に、写真を整理・保存する際に使用するシール及びこのシールを用いた写真ホルダに関する。
【０００２】
【従来の技術】
写真を整理・保存する際はアルバムを用いるのが一般的である。このアルバムとしては、台紙の表面に透明フィルムが剥離可能に貼り付けられたフエル・アルバム（商品名）が最も普及している（特許文献１参照）。
【０００３】
上記透明フィルムは、台紙の内側の縁から容易に引き剥がすことができるようになっている。台紙から透明フィルムを剥がした後、この台紙上の所望の位置に写真を置いて透明フィルムを元の位置に戻す。これによって、透明フィルムと台紙との間に写真が挟まれることになるので、糊やコーナー等を用いることなく、写真をレイアウトして保存することができる。
【０００４】
また、近年、個人が撮影した写真を画像データとして取り込み、カレンダ等の好みの背景とともに印刷して、写真付きのカレンダ等を作成することも普及している。
【０００５】
【特許文献１】
特開平９−７６６８２号
【０００６】
【発明が解決しようとする課題】
上記従来のアルバムによると、写真を整理・保存することはできるものの、写真を単に並べて貼るだけになるので、見栄えの面で問題があった。
【０００７】
例えば、写真の撮り方によっては、部外者や不要な背景が写ってしまう場合がある。この場合は、部外者等が写っている部分をはさみ等で切り取って所望の部分のみを抽出するようにしてもよいが、このような作業は非常に手間がかかるうえ、かえって見栄えを悪くすることがあった。
【０００８】
また、あるイベントの際に撮った写真であっても、その内容によっては当時の状況がわかりにくい場合がある。この場合は、その写真を貼った周囲に当時の状況を表した絵やコメントをペン等で描くようにしてもよいが、このような作業も非常に手間がかかるうえ、かえって見栄えを悪くすることがあった。
【０００９】
また、従来の写真付きカレンダ等では、写真が背景とともに印刷されているため、写真を入れ換えることは不可能であった。
【００１０】
本発明は、上記従来の事情に基づいて提案されたものであって、簡便に写真の見栄えを良くすることができるシール、及び、このシールを用いた好みに応じて写真を交換できる写真ホルダを提供することを目的とする。
【００１１】
【課題を解決するための手段】
本発明は、上記目的を達成するために以下の手段を採用している。
【００１２】
すなわち、本発明は、背面基材と、この背面基材と剥離可能な粘着剤を裏面に塗布したシート部材とからなるシールを前提としている。そして、このシールにおいて、上記シート部材の略中央部に所定形状の窓を備えたことを特徴とする。このようにすれば、所望の部分のみが上記窓によって抽出されることになるので、簡便に写真の見栄えを良くすることができる。
【００１３】
また、上記シート部材の表面に装飾を施すようにすることもできる。このようにすれば、写真をその当時の状況を表した絵やコメントで囲むことになるので、さらに写真の見栄えを良くすることができる。
【００１４】
なお、上記シート部材の表面は透明フィルムで覆っておくのが好ましい。このようにすれば、写真を保護することができるだけでなく、上記窓のサイズより小さい物（コインや花の種など）を整理・保存することも可能となる。
【００１５】
さらに、表面に装飾を施した台紙の所定位置に、上記シート部材を用いて写真を貼り替え自在に貼り付ける構成としてもよい。これにより、例えば、好みに応じて写真を入れ換えることができる写真付きカレンダ等を簡単に構成することができる。
【００１６】
【発明の実施の形態】
以下、本発明の実施の形態を図面にしたがって詳細に説明する。
【００１７】
（実施の形態１）
図１（Ａ）は、本発明におけるシール１０の平面図であり、図１（Ｂ）は、そのＡ−Ａ線断面図である。この図１（Ｂ）に示すように、本発明におけるシール１０は、グラシン紙やクラフト紙などの背面基材（剥離紙）１２と、この背面基材１２と剥離可能な粘着剤を裏面に塗布した白紙・アート紙・コート紙などのシート部材１１とからなる。そして、図１（Ａ）に示すように、上記シート部材１１の略中央部に矩形の窓Ｗを備えたことを特徴とする。この窓Ｗの形成方法については後述することとし、以下、本シール１０の使用方法について説明する。
【００１８】
まず、図２（Ａ）に示すように、三人の人物が写った写真２０があるものと仮定する。これら人物のうち、向かって右端に写っている人物のみ抽出したい場合がある。この場合は、台紙上の適当な位置に写真２０を配置し、シート部材１１に貼られた背面基材（剥離紙）１２を剥ぐ。そして、図２（Ｂ）に示すように、向かって右端に写っている人物が窓Ｗに入るようにして、このシート部材１１を台紙３０に貼り付ける。
【００１９】
このようにすれば、シート部材１１と台紙３０との間に写真２０が挟み込まれることになり、また、向かって右端に写っている人物のみが窓Ｗによって抽出されることになる。すなわち、本発明によれば、シート部材１１を貼るという簡便な作業によって、写真２０の見栄えを良くすることができる。
【００２０】
しかも、図１（Ａ）に示したように、本実施の形態におけるシール１０においては、窓Ｗ以外の部分（以下「フレームＦ」という）は無地である。従って、図２（Ｂ）に示すように、このフレームＦには、写真２０を撮った日付などをペンなどを用いて記載しておくこともできる。
【００２１】
なお、上記シート部材１１に塗布する粘着剤としては、アクリル系溶剤型粘着剤など、貼り付け、引き剥がしを繰り返し行うことが可能な粘着剤（以下、再剥離用の粘着剤と記述する。）を用いるようにしているので、上記のように台紙３０に貼り付けたシート部材１１を剥ぎ取って、別の場所に貼り直すことができる。この場合、シート部材１１を貼っていた台紙３０が例えば新聞紙のような材質のものであっても、この台紙３０に粘着剤は残らない。
【００２２】
もちろん、上記シート部材１１に塗布する粘着剤として、一般強粘と呼ばれるタイプの粘着剤を用いるようにしてもよい。この場合は、台紙３０等の被着体にシート部材１１を半永久的に貼り付けておくことができる。
【００２３】
また、上記の説明ではシール１０のサイズについて特に言及しなかったが、シール１０のサイズは、当然、台紙３０に貼り付ける物のサイズよりも大きい必要がある。もっとも、シール１０よりも大きいサイズの写真２０を台紙３０に貼り付けたい場合は、この写真２０をはさみ等で切り取って適当なサイズにすればよい。
【００２４】
（実施の形態２）
既に説明したように、あるイベントの際に撮った写真２０であっても、その内容によっては当時の状況がわかりにくい場合がある。この場合は、その写真２０を貼った周囲に当時の状況を表した絵やコメントをペン等で描くようにしてもよいが、このような作業も非常に手間がかかるうえ、かえって見栄えを悪くすることがあった。
【００２５】
そこで、本実施の形態では、図３に示すように、シート部材１１の表面に装飾を施した。この装飾を施す手法は特に限定されるものではない。例えば、公知であるインライン方式の印刷装置を用いれば、多種多色の文字や色彩等をシート部材１１に印刷することができる。
【００２６】
このようにすれば、図４に示すように、雛祭りの際に撮った子供の写真２０を、フレームＦに描かれた雛壇の中央に配置することができる。すなわち、本実施の形態によれば、シート部材１１を貼るという簡便な作業によって、より写真２０の見栄えを良くすることができる。
【００２７】
もちろん、フレームＦに施す装飾の内容は限定されるものではない。例えば、端午の節句の際に撮った写真２０を整理・保存する場合は、図５（Ａ）に示すように、兜や鯉幟が描かれたシール１０を用いることができる。また、クリスマスの際に撮った写真２０を整理・保存する場合は、図５（Ｂ）に示すように、サンタクロースが描かれたシール１０を用いることができる。
【００２８】
（実施の形態３）
図６は、本実施の形態におけるシール１０の説明図である。
【００２９】
この図６（Ｂ）に示すように、本実施の形態では、シート部材１１の表面を透明フィルム１３で覆うことにした。この透明フィルム１３は、少なくとも窓Ｗ全体を覆うことができるサイズであればよく、必ずしも、上記「シート部材１１の表面」全体を覆う必要はない。
【００３０】
このようにすれば、シート部材１１によって写真２０を台紙３０に貼り付けたとき、この写真２０の表面が窓Ｗからむき出しになることなく、透明フィルム１３によって覆われることになる。すなわち、本実施の形態におけるシール１０は、上記実施の形態１や２におけるシール１０に比べて、写真２０を保護することができる点で有利である。しかも、本実施の形態におけるシール１０によれば、コイン、花の種、ＣＤ（ｃｏｍｐａｃｔ  ｄｉｓｃ）、チェキ、ポラロイド（商品名）、ポストカードなど、窓Ｗのサイズより小さい物も整理・保存することができるという効果もある。
【００３１】
なお、ここでは、実施の形態１で説明したシール１０に透明フィルム１３を追加した構成を例示したが、本発明はこれに限定されるものではない。すなわち、実施の形態２で説明したシール１０（シート部材１１の表面に装飾を施したシール１０）に透明フィルム１３を追加するようにしてもよいのはもちろんである。
【００３２】
（実施の形態４）
図７（Ａ）は、本発明における写真ホルダ５０の平面図であり、図７（Ｂ）は、そのＡ−Ａ線断面図である。
【００３３】
図７（Ｂ）に示すように、本実施の形態の写真ホルダ５０は、上記各実施の形態に記載したシート部材１１と台紙３０で構成されている。このシート部材１１には、上述のように、再剥離用の粘着剤が塗布されており、写真２０を台紙３０の所定の位置に貼り替え自在に貼り付けることが可能となっている。
【００３４】
台紙３０の表面には、上述のインライン方式の印刷装置等により任意の装飾が施してあり、図７では、この装飾として、上記写真２０を貼り付ける略中央の所定領域の左右両側に、それぞれ３ヶ月間の暦を印刷している。
【００３５】
この台紙３０の材質は、特に限定するものではなく、アート紙・コート紙等の紙の他、プラスチックシート等の樹脂シートなど任意の素材を用いることができる。また、上記台紙３０の表面に、例えば、ラミネート加工等の表面加工を行っておけば、シート部材１１の貼り替えが更に容易になる上、シート部材１１を台紙３０から剥がす際に、台紙３０表面の装飾が粘着剤に付着して剥れることもない。
【００３６】
以上のようにすれば、台紙３０に貼り付けた写真２０を好みに応じて容易に交換できる写真ホルダを構成することができ、例えば、月ごとに写真を交換することが可能な写真付きカレンダ等も容易に作ることができる。
【００３７】
また、写真２０を交換する際には、剥ぎ取ったシート部材１１に付着している写真２０を剥ぎ取り、他の写真を台紙３０に貼り付けるためにこのシート部材１１を再利用してもよいが、写真２０を剥ぎ取らずにそのままアルバム等に貼り付けることもできる。
【００３８】
さらに、上記実施の形態３で説明したように、シート部材１１の窓Ｗ全体を透明フィルム１３で覆う構成とすれば、写真２０をキズ、汚れから保護することができる上、フィルムの光沢により写真２０を美しく見せることも可能となる。
【００３９】
なお、本実施の形態で例示した、台紙３０表面の装飾、及び、写真２０の貼り付け位置は、単に具体例を示したものであり、本発明の範囲を限定するものではない。
【００４０】
（実施の形態５）
本発明を適用したシールは、図９に示すように、加工機４１、フィルム張り機４２、プレス機４３などが一体化した特殊印刷機４０によって製造することができる。このような特殊印刷機４０を用いれば、連続的かつ自動的にシールを製造することができる。
【００４１】
以下、本発明を適用したシールの製造方法を詳細に説明する。
【００４２】
まず、本実施の形態では、図８（Ａ）に示すように、無地のロール状タック紙５１を用いるものと仮定する。このタック紙５１は、一般的なものでよく、シート部材、粘着剤、シリコーンが塗布された背面基材（剥離紙）の３層から構成されている。
【００４３】
次に、図８（Ｂ）に示すように、上記タック紙５１の表面に装飾５２を施す。この印刷方式としては、実施の形態２で説明したようにインライン方式を採用してもよいし、オフセット方式やスクリーン方式など他の方式を採用してもよい。もちろん、使用するインクや装飾５２の内容は限定されるものではない。
【００４４】
このように装飾５２を施されたタック紙５１は、図９に示すように、窓Ｗの輪郭と一致する形状の刃型４１ａを備えた加工機４１まで搬送されるようになっている。この刃型４１ａが昇降すると、タック紙５１に窓Ｗがハーフカットされるようになっている。ハーフカットとは、シート部材だけを切る（すなわち、背面基材までは切らない）加工方法をいう。
【００４５】
次に、少なくとも窓Ｗが覆われるように、ポリエチレン（ＰＥ）・ポリスチレン（ＰＳ）・ポリプロピレン（ＰＰ）等の熱可塑性フィルム５３をフィルム張り機４２で張る（図８（Ｃ））。
【００４６】
このように熱可塑性フィルム５３を張られたタック紙５１は、図９に示すように、真鍮等でできた熱版４３ａを備えたプレス機４３まで搬送されるようになっている。この熱版４３ａは、窓Ｗと略一致する形状（ここでは、窓より若干小さな矩形）に形成されている。したがって、この熱版４３ａを熱可塑性フィルム５３にプレスすると、この熱可塑性フィルム５３と窓Ｗ部分のシート部材とが熱圧着されるようになっている。
【００４７】
次に、熱可塑性フィルム５３を回転ローラ４４等で巻き上げてタック紙５１から引き剥がすと、図８（Ｄ）に示すように、熱可塑性フィルム５３に窓Ｗ部分のシート部材が付着して抜き取られることになる（図８（Ｄ）では、熱可塑性フィルム５３に付着したシート部材を図示していない。）。この結果、窓Ｗ部分のシート部材が抜き取られたシール１０が形成される（図８（Ｅ））。なお、図８（Ｄ）〜（Ｆ）では、このように抜き取られた窓Ｗの部分を斜線で示している。
【００４８】
次に、図８（Ｆ）に示すように、シールの表面を透明フィルム１３で覆う。この点は、実施の形態３において説明したので、ここでは詳しい説明を省略する。
【００４９】
最後に、シールの外周をハーフカットした後、適当なサイズに裁断する。このような加工は、上記した加工機４１を用いて実現することができる。したがって、シールの表面を透明フィルム１３で覆わない場合は、窓Ｗをハーフカットするときにシールの外周もハーフカットするようにしてもよい。
【００５０】
以上のように、本実施の形態によれば、上記実施の形態１から３で説明したシールを人手を介すことなく製造することができる。特に、従来は、窓部分のシート部材を手作業で抜き取らなければならなかったところ、本実施の形態によれば、熱可塑性フィルムに熱圧着させるという簡便な方法によって窓部分のシート部材を抜き取ることができる点はメリットが大きい。
【００５１】
【発明の効果】
以上のように、本発明のシールは、シート部材の略中央部に所定形状の窓を備えたことを特徴とする。このようにすれば、所望の部分のみが上記窓によって抽出されることになるので、簡便に写真の見栄えを良くすることができる。
【００５２】
また、上記シート部材の表面に装飾を施すようにすることもできる。このようにすれば、写真をその当時の状況を表した絵やコメントで囲むことになるので、さらに写真の見栄えを良くすることができる。
【００５３】
さらに、上記シート部材の表面を透明フィルムで覆うこともできる。このようにすれば、写真を保護することができるだけでなく、上記窓のサイズより小さい物（コインや花の種など）を整理・保存することも可能となる。
【００５４】
また、表面に装飾を施した台紙に、上記シート部材を用いて写真を貼り替え自在に貼り付ける構成とすれば、好みに応じて写真を交換することができる写真付きカレンダ等を容易に構成することができる。
【００５５】
加えて、本発明を適用したシールは、人手を介すことなく製造することができる。特に、熱可塑性フィルムに熱圧着させるという簡便な方法によって窓部分のシート部材を抜き取ることができる点はメリットが大きい。
【図面の簡単な説明】
【図１】実施の形態１におけるシールの説明図
【図２】実施の形態１におけるシールの使用形態を示す図
【図３】実施の形態２におけるシールの説明図
【図４】実施の形態２におけるシールの使用形態を示す図
【図５】実施の形態２におけるシールのバリエーションを示す図
【図６】実施の形態３におけるシールの説明図
【図７】実施の形態４における写真ホルダの説明図
【図８】本発明を適用したシールの製造工程を示す図
【図９】本発明を適用したシールの製造装置の概略概観図
【符号の説明】
１０  シール
１１  シート部材
１２  背面基材（剥離紙）
２０  写真
３０  台紙
Ｗ    窓
Ｆ    フレーム
４０  特殊印刷機
【図１】
2005004147.tif 000003
【図２】
2005004147.tif 000004
【図３】
2005004147.tif 000005
【図４】
2005004147.tif 000006
【図５】
2005004147.tif 000007
【図６】
2005004147.tif 000008
【図７】
2005004147.tif 000009
【図８】
2005004147.tif 000010
【図９】
2005004147.tif 000011